(57)【要約】【課題】複数の制御内容をまとめて設定することができ、しかもその制御内容の設定値を容易に確認することができる制御装置及び該制御装置を備えるショーケースを提供する。【解決手段】制御装置１０は、操作部３０での設定内容を記憶する設定内容記憶部４４を有し、操作部３０を制御する操作部制御部３２と、設定内容記憶部４４に記憶された設定内容に基づき、制御対象機器であるショーケース１２を運転制御する機器制御部３４と、複数の制御内容の組み合わせを１単位とし、該１単位の標準的な設定値が標準設定用データとして予め記憶される標準設定用データ記憶部４６と、操作部３０での設定内容に応じて、標準設定用データ記憶部４６に記憶された標準設定用データを設定内容記憶部４４に設定する設定値設定部４８と、設定内容記憶部４４に記憶された設定内容と標準設定用データ記憶部４６に記憶された標準設定用データとを比較し、その比較結果を操作部制御部３２を介して表示部４０に表示する設定値比較部５０とを備える。【選択図】図２
2013057489.tif 000002
【特許請求の範囲】
【請求項１】
制御対象機器の制御内容を設定する入力部と前記制御内容を表示する表示部とを有する操作部を備え、該操作部によって設定された制御内容に基づいて前記制御対象機器を運転制御する制御装置であって、
前記操作部での設定内容を記憶する設定内容記憶部を有し、前記操作部を制御する操作部制御部と、
前記設定内容記憶部に記憶された設定内容に基づき、前記制御対象機器を運転制御する機器制御部と、
複数の制御内容の組み合わせを１単位とし、該１単位の標準的な設定値が標準設定用データとして予め記憶される標準設定用データ記憶部と、
前記操作部での設定内容に応じて、前記標準設定用データ記憶部に記憶された標準設定用データを前記設定内容記憶部に設定する設定値設定部と、
前記設定内容記憶部に記憶された設定内容と、前記標準設定用データ記憶部に記憶された標準設定用データとを比較し、その比較結果を前記操作部制御部を介して前記表示部に表示する設定値比較部と、
を備えることを特徴とする制御装置。
【請求項２】
請求項１記載の制御装置において、
前記制御対象機器は、ショーケースであることを特徴とする制御装置。
【請求項３】
請求項２記載の制御装置において、
前記制御内容は、前記ショーケースの庫内温度の設定値と、前記ショーケースに設けられる冷却器の除霜運転の有無と、前記冷却器での水切運転の有無と、高温警報を発する庫内の最低温度と、低温警報を発する庫内の最高温度とのうち、いずれか１以上を含むことを特徴とする制御装置。
【請求項４】
請求項１〜３のいずれか１項に記載の制御装置において、
前記制御対象機器は、複数の用途に用いられ、
前記標準設定用データ記憶部には、前記制御対象機器の用途毎の前記標準設定用データがそれぞれ記憶されていることを特徴とする制御装置。
【請求項５】
請求項４記載の制御装置において、
前記用途は、前記制御対象機器に保管される商品の品目であることを特徴とする制御装置。
【請求項６】
操作部で設定された制御内容に従って運転制御を行う制御装置を備えたショーケースであって、
前記制御装置は、当該ショーケースの制御内容を設定する入力部と前記制御内容を表示する表示部とを有する前記操作部と、
前記操作部での設定内容を記憶する設定内容記憶部を有し、前記操作部を制御する操作部制御部と、
前記設定内容記憶部に記憶された設定内容に基づき、当該ショーケースを運転制御する機器制御部と、
複数の制御内容の組み合わせを１単位とし、該１単位の標準的な設定値が標準設定用データとして予め記憶される標準設定用データ記憶部と、
前記操作部での設定内容に応じて、前記標準設定用データ記憶部に記憶された標準設定用データを前記設定内容記憶部に設定する設定値設定部と、
前記設定内容記憶部に記憶された設定内容と、前記標準設定用データ記憶部に記憶された標準設定用データとを比較し、その比較結果を前記操作部制御部を介して前記表示部に表示する設定値比較部と、
を備えることを特徴とするショーケース。
【発明の詳細な説明】
【技術分野】
【０００１】
本発明は、操作部によって設定された制御内容に基づいて業務用温度制御機器等の制御対象機器を運転制御する制御装置及び該制御装置を備えるショーケースに関する。
【背景技術】
【０００２】
例えば、スーパーマーケットやコンビニエンスストア等では、食品等の温蔵や冷蔵を行うためにショーケース（冷凍冷蔵ショーケース）が使用され、また、室内の暖房や冷房等を行うために空調機器が使用されている。
【０００３】
このようなショーケースや空調機器等の業務用温度制御機器では、その温度管理が食品等の保存に大きな影響を及ぼすことがあり、特にショーケースでは、保管収納される品目（例えば、青果や精肉）によって最適な庫内温度が異なることから、その制御内容は誤りなく設定されることが必要である。
【０００４】
特許文献１には、ショーケースの庫内温度設定に関し、人手による誤設定を回避するために、食品毎の管理温度範囲の情報をその包装に設けたバーコード等から読み取り、この読み取った情報に基づいて庫内温度を設定管理する庫内温度設定装置が開示されている。
【０００５】
ところで、このような業務用温度制御機器では、その制御内容の設定値に誤りがないことを確認することも誤設定を回避するための重要な要素である。そこで、その確認方法として、従来は、制御内容の設定値を設定する際の操作と同じ手順を辿ることで、現状の制御内容の設定値を一つ一つ確認するという手法をとることが一般的であった。
【先行技術文献】
【特許文献】
【０００６】
【特許文献１】特開２００５−８３６０２号公報
【発明の概要】
【発明が解決しようとする課題】
【０００７】
上記特許文献１の装置は、制御内容である庫内温度の設定値をバーコードを用いて簡便に設定できるという利点がある。ところが、その制御内容はショーケースの庫内温度の設定値のみであり、冷却装置の除霜運転等に関する制御内容等については個別に設定する必要があり、結局のところ、誤設定を回避できる項目は限定的であり、その他の項目についての設定は煩雑であって手間がかかる。しかも、制御内容の設定値を確認する際には、人手によって複数の設定値を一つ一つ確認し、それを食品毎の標準的な設定値と比較する必要があり、確認作業が煩雑で誤確認が生じ易いという問題もある。
【０００８】
本発明は、上記従来技術の課題を考慮してなされたものであり、複数の制御内容をまとめて設定することができ、しかもその制御内容の設定値を容易に確認することができる制御装置及び該制御装置を備えるショーケースを提供することを目的とする。
【課題を解決するための手段】
【０００９】
本発明に係る制御装置は、制御対象機器の制御内容を設定する入力部と前記制御内容を表示する表示部とを有する操作部を備え、該操作部によって設定された制御内容に基づいて前記制御対象機器を運転制御する制御装置であって、前記操作部での設定内容を記憶する設定内容記憶部を有し、前記操作部を制御する操作部制御部と、前記設定内容記憶部に記憶された設定内容に基づき、前記制御対象機器を運転制御する機器制御部と、複数の制御内容の組み合わせを１単位とし、該１単位の標準的な設定値が標準設定用データとして予め記憶される標準設定用データ記憶部と、前記操作部での設定内容に応じて、前記標準設定用データ記憶部に記憶された標準設定用データを前記設定内容記憶部に設定する設定値設定部と、前記設定内容記憶部に記憶された設定内容と、前記標準設定用データ記憶部に記憶された標準設定用データとを比較し、その比較結果を前記操作部制御部を介して前記表示部に表示する設定値比較部とを備えることを特徴とする。
【００１０】
また、本発明に係るショーケースは、操作部で設定された制御内容に従って運転制御を行う制御装置を備えたショーケースであって、前記制御装置は、当該ショーケースの制御内容を設定する入力部と前記制御内容を表示する表示部とを有する前記操作部と、前記操作部での設定内容を記憶する設定内容記憶部を有し、前記操作部を制御する操作部制御部と、前記設定内容記憶部に記憶された設定内容に基づき、当該ショーケースを運転制御する機器制御部と、複数の制御内容の組み合わせを１単位とし、該１単位の標準的な設定値が標準設定用データとして予め記憶される標準設定用データ記憶部と、前記操作部での設定内容に応じて、前記標準設定用データ記憶部に記憶された標準設定用データを前記設定内容記憶部に設定する設定値設定部と、前記設定内容記憶部に記憶された設定内容と、前記標準設定用データ記憶部に記憶された標準設定用データとを比較し、その比較結果を前記操作部制御部を介して前記表示部に表示する設定値比較部とを備えることを特徴とする。
【００１１】
このような構成によれば、操作部での設定内容に応じて、標準設定用データ記憶部に記憶された標準設定用データを設定内容記憶部に設定する設定値設定部を備えるため、制御対象機器の複数の制御内容の設定値を、操作部の簡易な操作で一度に設定でき、制御内容の設定値の設定作業を容易に行うことができる。しかも、設定内容記憶部に記憶された設定内容と標準設定用データ記憶部に記憶された標準設定用データとを比較し、その比較結果を表示部に表示する設定値比較部を備えるため、現在の制御内容の設定値がいずれの標準設定用データに合致するか否かを簡易な操作によって表示部に表示させることができ、制御内容の設定値の確認作業も容易に行うことができる。その結果、操作部の操作に不慣れな利用者であっても、制御内容の設定値の設定を短時間で且つ誤設定なく行うことができ、さらに、制御内容の設定値の確認作業も短時間で且つ誤確認なく行うことができる。
【００１２】
当該制御装置の制御対象機器は、ショーケースであってもよく、この場合、前記制御内容は、前記ショーケースの庫内温度の設定値と、前記ショーケースに設けられる冷却器の除霜運転の有無と、前記冷却器での水切運転の有無と、高温警報を発する庫内の最低温度と、低温警報を発する庫内の最高温度とのうち、いずれか１以上を含むものであってもよい。
【００１３】
前記制御対象機器は、複数の用途に用いられ、前記標準設定用データ記憶部には、前記制御対象機器の用途毎の前記標準設定用データがそれぞれ記憶されていると、制御対象機器の用途に応じた標準設定用データを容易に設定することができ、その設定内容の確認も容易である。この場合、前記用途は、前記制御対象機器に保管される商品の品目であってもよい。
【発明の効果】
【００１４】
本発明によれば、制御対象機器の複数の制御内容の設定値を、操作部の簡易な操作で一度に設定でき、制御内容の設定値の設定作業を容易に行うことができる。さらに、現在の制御内容の設定値がいずれの標準設定用データに合致するか否かを簡易な操作によって表示部に表示させることができ、制御内容の設定値の確認作業も容易に行うことができる。その結果、操作部の操作に不慣れな利用者であっても、制御内容の設定値の設定を短時間で且つ誤設定なく行うことができ、さらに、制御内容の設定値の確認作業も短時間で且つ誤確認なく行うことができる。
【図面の簡単な説明】
【００１５】
【図１】図１は、本発明の一実施形態に係る制御装置を備えたショーケースの構成図であり、図１（Ａ）は、ショーケースの側面図を示し、図１（Ｂ）は、ショーケースの正面図を示している。
【図２】図２は、制御装置のブロック構成図である。
【図３】図３は、ショーケースの用途別温度帯の一例を示す表である。
【図４】図４は、ショーケースの制御内容の一例を示す表である。
【図５】図５は、標準設定用データ記憶部に予め設定・記憶される標準設定用データの一例を示す表である。
【図６】図６は、図２に示す制御装置での制御内容の設定値の設定方法の一例を示すフローチャートである。
【図７】図７は、標準設定モードでの用途選択画面の初期画面の一例を示す説明図である。
【図８】図８は、標準設定モードでの用途選択画面の表示順の一例を示す説明図である。
【図９】図９は、図２に示す制御装置での制御内容の設定値の確認方法の一例を示すフローチャートである。
【図１０】図１０は、設定内容記憶部に記憶されている内容が標準設定用データと合致した場合の一例を示す説明図であり、図１０（Ａ）は、制御内容の設定値の一例を示し、図１０（Ｂ）は、図１０（Ａ）に示される制御内容に対応した操作部表示内容の一例を示している。
【図１１】図１１は、設定内容記憶部に記憶されている内容が標準設定用データと合致した場合の別の一例を示す説明図であり、図１１（Ａ）は、制御内容の設定値の別の一例を示し、図１１（Ｂ）は、図１１（Ａ）に示される制御内容に対応した操作部表示内容の一例を示している。
【図１２】図１２は、設定内容記憶部に記憶されている内容が標準設定用データと合致した場合のさらに別の一例を示す説明図であり、図１２（Ａ）は、制御内容の設定値のさらに別の一例を示し、図１２（Ｂ）は、図１２（Ａ）に示される制御内容に対応した操作部表示内容の一例を示している。
【図１３】図１３は、設定内容記憶部に記憶されている内容が標準設定用データと合致しない場合の一例を示す説明図である。
【図１４】図１４は、図１３に示す制御内容の設定値を順に表示している状態を示す説明図である。
【発明を実施するための形態】
【００１６】
以下、本発明に係る制御装置について、この制御装置を適用したショーケースとの関係で好適な実施の形態を挙げ、添付の図面を参照しながら詳細に説明する。
【００１７】
図１は、本発明の一実施形態に係る制御装置１０を備えたショーケース１２の構成図であり、図１（Ａ）は、ショーケース１２の側面図を示し、図１（Ｂ）は、ショーケース１２の正面図を示している。この制御装置１０は、スーパーマーケットやコンビニエンスストア等で食品等を展示・保管する業務用温度制御機器としてのショーケース（冷凍冷蔵ショーケース）１２に内蔵されたコントローラであり、設定された制御内容の設定値に基づき冷却装置１４等の運転を制御するものである。勿論、制御装置１０の制御対象機器は、ショーケース１２以外であってもよい。
【００１８】
図１に示すように、ショーケース１２は、オープン型のショーケース本体１６と、ショーケース本体１６の庫内に複数段設置された商品陳列棚１８と、庫内を冷却するための冷却装置１４と、冷却装置１４の冷却器１４ａで発生する冷気を循環ダクト１６ａを通して庫内へと供給する送風ファン２０と、冷却器１４ａを除霜するための除霜ヒータ２２と、庫内温度が所定温度以上（高温）又は所定温度以下（低温）となった場合に警報を発する警報器２４とを備え、ショーケース本体１６上部のキャノピー部に制御装置１０が設けられている。
【００１９】
ショーケース１２には、さらに、庫内温度を検出する庫内温度センサＴ１と、循環ダクト１６ａ内の温度を検出し、庫内温度センサＴ１の検出結果と共に庫内の温度調節（温調）に供される温調用センサＴ２と、除霜運転の判断指標となる冷却器１４ａの温度を検出する除霜温度センサＴ３と、当該ショーケース１２の設置環境の温度を検出する外気温度センサＴ４とが備えられる。これら各センサＴ１〜Ｔ４の検出結果は、図示しない信号線等によって制御装置１０へと送信される。勿論、各センサＴ１〜Ｔ４の設置位置は適宜変更可能であり、さらにショーケース１２には、各センサＴ１〜Ｔ４以外にも、各部温度を検出する温度センサを適宜配設可能である。
【００２０】
冷却装置１４は、冷却器１４ａと共に、図示しない圧縮機や凝縮器、膨張装置等によって冷媒回路を構成した公知の冷凍回路である。送風ファン２０は、冷却装置１４の蒸発器である冷却器１４ａで発生する冷気を庫内へと供給するために循環ダクト１６ａ内に配設されており、冷却器１４ａの除霜運転後の水切運転時に冷却器１４ａを送風する際にも用いられる。除霜運転は、冷却器１４ａに付着した霜を除霜ヒータ２２によって溶かす運転であり、水切運転は、除霜運転に続いて送風ファン２０を駆動することで除霜運転によって冷却器１４ａに付着した水分を除去する運転であり、いずれも従来の冷凍回路において一般的に行われているものである。
【００２１】
図２は、制御装置１０のブロック構成図であり、制御対象機器であるショーケース１２との関係で制御装置１０の制御系統を示している。
【００２２】
図２に示すように、制御装置１０は、ショーケース１２の制御内容を設定する操作部３０と、操作部３０を制御する操作部制御部（操作部制御機能）３２と、操作部３０で設定された制御内容の設定値に応じて制御対象機器であるショーケース１２を運転制御する機器制御部（機器制御機能）３４と、ショーケース１２の用途毎に予め設定された複数の制御内容の標準的な設定値である標準設定用データを操作部制御部３２に供給すると共に、現在の制御内容の設定値と標準設定用データとの比較を行う設定値管理部３６とを備える。ショーケース１２の制御内容としては、例えば、庫内温度を設定する「温調」や除霜運転の有無を設定する「除霜」等があるが、詳細は後述する。
【００２３】
操作部３０は、ショーケース１２の制御内容を設定・登録するための入力部３８と、入力部３８での入力項目（登録項目）や現在の庫内温度、警報器２４による警報等の各種情報を表示可能な表示部４０とを備える。図１に示すように、操作部３０を構成する入力部３８及び表示部４０はショーケース１２上部のキャノピー部の前面パネルに配置され、外部からの視認及び操作が可能である。
【００２４】
入力部３８は、入力項目を切り替える切替スイッチ３８ａと、入力項目を決定する決定スイッチ３８ｂと、各入力項目の値を変更するＵＰスイッチ（送りスイッチ）３８ｃ及びＤＯＷＮスイッチ（戻りスイッチ）３８ｄとから構成されている。表示部４０は、制御内容やその設定値をデジタル表示する液晶ディスプレイである。
【００２５】
操作部制御部３２は、操作部３０に対して信号線等によって接続され、当該操作部制御部３２と操作部３０との間の情報・信号の送受信を担う操作部Ｉ／Ｆ装置（操作部インタフェース装置）４２と、操作部３０での設定内容（登録内容）を記憶する設定内容記憶部（設定内容記憶装置）４４とを備える。
【００２６】
操作部Ｉ／Ｆ装置４２は、複数の入力端子及び出力端子を有し、操作部３０や機器制御部３４、設定値管理部３６と接続されるインタフェース装置であって、入力部３８での入力動作や表示部４０での表示動作の制御も行うことができる。設定内容記憶部４４は、操作部３０での設定内容を記憶するための記憶装置（メモリ。例えば、ＲＡＭ）であり、ここに設定・記憶された制御内容の設定値は、例えば操作部Ｉ／Ｆ装置４２を介して機器制御部３４によって読み出される。
【００２７】
機器制御部３４は、設定内容記憶部４４に設定・記憶された制御内容の設定値に基づき、制御対象機器であるショーケース１２の運転を制御する運転制御部である。すなわち、機器制御部３４は、設定内容記憶部４４に登録された制御内容の設定値に基づき、各センサＴ１〜Ｔ４の検出結果をフィードバックしながら冷却装置１４や除霜ヒータ２２、送風ファン２０を駆動制御すると共に、庫内温度センサＴ１等の検出結果に応じて警報器２４を駆動制御する。
【００２８】
設定値管理部３６は、標準設定用データ記憶部（標準設定用データ記憶装置）４６と、設定値設定部（設定値設定機能）４８と、設定値比較部（設定値比較機能）５０とから構成されている。ここで、標準設定用データとは、複数の制御内容の組み合わせを１単位とし、この１単位を構成する各制御内容の標準的な設定値を設定したものである。
【００２９】
標準設定用データ記憶部４６は、標準設定用データが予め記憶される記憶装置（メモリ。例えば、ＲＯＭ）であり、標準設定用データを表示部４０に表示する表示内容（操作部表示内容）との組み合わせで記憶している。本実施形態の場合、標準設定用データとしては、図５に示すように、ショーケース１２の用途（例えば、「青果」や「精肉」）を１単位とし、この用途（１単位）毎の各制御内容の標準的な設定値を予め設定したものであるが、詳細は後述する。
【００３０】
設定値設定部４８は、操作部３０での設定内容（制御内容の設定値）に応じて、標準設定用データ記憶部４６に記憶された標準設定用データを読み出し、この標準設定用データを操作部Ｉ／Ｆ装置４２を介して設定内容記憶部４４に設定・記憶するものである。すなわち、設定値設定部４８は、いずれかの用途に対応する標準設定用データを用いてショーケース１２を運転制御する、との設定が操作部３０から入力された場合に、設定された用途の標準設定用データを標準設定用データ記憶部４６から読み出し、設定内容記憶部４４に設定・記憶する機能を有する。
【００３１】
設定値比較部５０は、現在のショーケース１２の運転条件である設定内容記憶部４４に記憶された設定内容（制御内容の設定値）と、標準設定用データ記憶部４６に記憶された標準設定用データとを比較し、その比較結果を操作部Ｉ／Ｆ装置４２を介して表示部４０に表示する。すなわち、設定値比較部５０は、利用者が操作部３０を利用してショーケース１２の現在の制御内容の設定値を確認しようとした場合に、操作部Ｉ／Ｆ装置４２を介して、現在の制御内容の設定値と標準的な設定値である標準設定用データとを比較し、現在の制御内容の設定値に合致する標準設定用データがあるか否かを検索し、その合致の有無を判定する機能を有する。
【００３２】
次に、本実施形態に係るショーケース１２の用途、制御内容及び標準設定用データの具体例について説明する。
【００３３】
図３は、図１に示すショーケース１２の用途別温度帯の一例を示す表であり、商品陳列棚１８に陳列・保管される商品の品目毎に設定される庫内温度の温度帯（℃）を例示したものである。ショーケース１２は、例えば、「土物」、「青果」、「日配」、「乳製品」、「精肉」、「鮮魚」、「氷温」、「チルド」、「冷凍食品」、「アイス」の１０品目の用途に対応しており、各用途に適した庫内温度の温度帯（℃）は、図３に例示した通りである。通常、制御装置１０は、設定された制御内容に基づき、その用途に応じて、図３に示される温度帯を保つようにショーケース１２を運転制御する。
【００３４】
図４は、図１に示すショーケース１２の制御内容の一例を示す表である。ショーケース１２の制御内容は、例えば、庫内温度の設定値（制御温度）を設定する「温調」、除霜運転の有無を設定する「除霜」、水切運転の有無を設定する「水切」、高温警報を発する庫内の最低温度を設定する「高温」、低温警報を発する庫内の最高温度を設定する「低温」の５種類がある。すなわち、制御装置１０は、これら制御内容毎に設定された設定値に基づき、ショーケース１２の運転制御を行う。勿論、このような５種類以外の制御内容を組み合わせて用いてもよい。
【００３５】
図５は、標準設定用データ記憶部４６に予め設定・記憶される標準設定用データの一例を示す表である。標準設定用データは、ショーケース１２の用途毎の標準的な制御内容の設定値と、その用途の操作部３０（表示部４０）への表示内容（操作部表示内容）との組み合わせとして、予め標準設定用データ記憶部４６に記憶されるものであり、例えば、ショーケース１２の出荷前に工場内で設定・記憶される。
【００３６】
図５では、標準設定用データとして、９種類の用途の操作部表示内容と、その制御内容とを例示している。例えば、「青果」の場合には、「温調：６℃」、「除霜：無」、「水切：無」、「高温：１０℃」、「低温：３℃」として設定され、「氷温」の場合には、「温調：−４℃」、「除霜：有」、「水切：有」、「高温：−２℃」、「低温：−５℃」として設定され、他の用途である操作部表示項目「青果夏」、「青果冬」、「日配」、「精肉」、「チルド」、「冷凍食品」、「アイス」についてもそれぞれ図５に示すように設定されている。なお、「青果夏」は、用途は「青果」と同様であるが、外気温が高くなる夏用に、「温調」を春や秋等の中間期の６℃よりも１℃低い５℃に設定した場合の標準設定用データであり、「青果冬」についても略同様に「青果」よりも多少高い温度に設定したデータである。
【００３７】
次に、以上のように構成される制御装置１０での制御内容の設定値の設定方法の一例について、図６のフローチャートに基づいて説明する。
【００３８】
以下では、標準設定用データ記憶部４６に標準設定用データが予め記憶された制御対象機器であるショーケース１２が、スーパーマーケットやコンビニエンスストアに設置された後、サービス担当者や店員である利用者が、商品陳列棚１８に陳列する品目に応じて、その制御内容の設定値を設定する場合を例示して当該設定方法を説明する。
【００３９】
図６中のステップＳ１では、利用者が操作部３０を利用して、標準設定用データ記憶部４６に記憶された標準設定用データを用いて制御内容の設定値を設定するか（標準設定モード）、又は、制御内容の設定値を個別に設定するか（個別設定モード）を選択する（モード選択）。このモード選択は、例えば、入力部３８の切替スイッチ３８ａを数秒間長押しすることで表示部４０に表示されるモード選択画面に従って、ＵＰスイッチ３８ｃやＤＯＷＮスイッチ３８ｄを操作してモードを選択し、決定スイッチ３８ｂによって決定する。
【００４０】
先ず、顧客の個別要求に従う必要がある場合等の理由により、制御内容の設定値を個別に設定したい場合には、ステップＳ１において個別設定モードを選択する。
【００４１】
すなわち、ステップＳ１で個別設定モードが選択されたと判断されると（ステップＳ２のＹＥＳ）、次にステップＳ３が実行される。なお、ステップＳ３では、従来から一般的に行われている設定手順に従って制御内容の設定値を一つ一つ設定すればよい。例えば、制御内容の設定値を、「温調：３℃」、「除霜：無」、「水切：無」、「高温：６℃」、「低温：１℃」と設定したい場合には、先ず、入力部３８の切替スイッチ３８ａを押して設定する制御内容として「温調」を表示させた後、ＵＰスイッチ３８ｃ及びＤＯＷＮスイッチ３８ｄを操作して「３℃」を表示させる。この状態で、決定スイッチ３８ｂを押すことで「温調：３℃」が設定されるため、以降は、同様な操作を行い、順に、「除霜：無」、「水切：無」、「高温：６℃」、「低温：１℃」と設定すればよい。
【００４２】
続いて、ステップＳ５において、ステップＳ３で設定された各制御内容の設定値が、操作部Ｉ／Ｆ装置４２を介して設定内容記憶部４４に登録される。これにより、機器制御部３４は、ステップＳ３、Ｓ５を順に経て設定内容記憶部４４に登録された個別設定の制御内容の設定値（例えば、上記した「温調：３℃」、「除霜：無」、「水切：無」、「高温：６℃」、「低温：１℃」）に基づき、ショーケース１２を運転制御する。従って、利用者は、顧客の個別要求や品目等に応じて、制御内容の設定値を個別に最適化させた運転条件でショーケース１２を運転することができる。
【００４３】
一方、標準的な（一般的な）制御内容の設定値を設定したい場合には、ステップＳ１において標準設定モードを選択する。
【００４４】
すなわち、ステップＳ１で標準設定モードが選択されたと判断されると（ステップＳ２のＮＯ）、次にステップＳ４が実行される。ステップＳ４では、先ず、操作部Ｉ／Ｆ装置４２の制御下に、用途を選択する画面（用途選択画面）の初期画面が表示部４０に表示される。
【００４５】
この用途選択画面の初期画面は、利用者が所望する用途に対応した標準設定用データを選択するために、図５中の操作部表示内容に記載された用途のうちの所定の１つを初期的に表示するものであり、例えば、図７に示す例では、初期画面として「用途：青果」を表示している。勿論、初期画面には、「用途：日配」、「用途：冷凍食品」等を表示させてもよいが、複数の用途のうち、当該ショーケース１２で最も選択されることが多いと想定される用途や、前回設定された用途を初期画面として設定しておくとよい。
【００４６】
続いて、切替スイッチ３８ａを押す度に又は一定時間毎に、表示部４０での表示が切り替わる。すなわち、初期画面の後に、標準設定用データ記憶部４６に記憶された残りの用途（図５中の操作部表示内容）が、順に表示部４０に表示されるため（図８参照）、選択したい用途が表示部４０に表示されている状態で決定スイッチ３８ｂを押せば当該用途を決定することができる。例えば、図８では、初期画面に「用途：青果」を表示した後、順に、「用途：青果夏」、「用途：青果冬」、「用途：日配」、「用途：精肉」、・・・、と表示するパターンを例示している。
【００４７】
このように操作部３０によって所望の用途を決定することで、図５に示す操作部表示内容のうちのいずれか１つの用途が選択されるため、この用途に対応する標準設定用データが制御内容の設定値として設定される。例えば、「用途：青果」を選択した場合には、その制御内容の設定値である標準設定用データは、「温調：６℃」、「除霜：無」、「水切：無」、「高温：１０℃」、「低温：３℃」となる。
【００４８】
そこで、ステップＳ５では、ステップＳ４で設定された制御内容の設定値、つまり選択した用途に対応する標準設定用データが、設定値設定部４８及び操作部Ｉ／Ｆ装置４２を介して標準設定用データ記憶部４６から読み出されて設定内容記憶部４４に登録される。これにより、機器制御部３４は、ステップＳ４、Ｓ５を順に経て設定内容記憶部４４に登録された制御内容の設定値である標準設定用データ（例えば、上記した「用途：青果」では、「温調：６℃」、「除霜：無」、「水切：無」、「高温：１０℃」、「低温：３℃」）に基づき、ショーケース１２を運転制御する。従って、利用者は、操作部３０を用いた簡単な操作によって用途を決定するだけで、複数の制御内容の設定値を一度に設定し、用途に適した一般的な運転条件でショーケース１２を運転することができる。しかも、用途を選択するだけで制御内容の設定値も一義的に設定されるため、人手による誤設定も未然に防止できる。
【００４９】
次に、制御装置１０での制御内容の設定値の確認方法の一例について、図９のフローチャートに基づいて説明する。
【００５０】
以下では、図６のフローチャートに示す設定方法等によって制御内容の設定値が設定された後のショーケース１２について、利用者が、その制御内容の設定値を確認する場合を例示して当該確認方法を説明する。
【００５１】
先ず、図９中のステップＳ１０において、利用者が操作部３０を利用して、設定内容記憶部４４に登録されている制御内容の設定値を確認するためのモード（確認モード）を起動する。この確認モードの起動は、例えば、入力部３８の決定スイッチ３８ｂを数秒間長押しする等の予め規定された操作を行うことで行われる。
【００５２】
確認モードが起動されると、設定値比較部５０において、実際に設定内容記憶部４４に記憶されている現在の制御内容の設定値と、標準設定用データ記憶部４６に予め記憶されている標準設定用データとを比較する処理が実行される（ステップＳ１１）。
【００５３】
その結果、現在の制御内容の設定値が、標準設定用データ記憶部４６に記憶されたいずれかの標準設定用データに合致すると判断された場合には（ステップＳ１２のＹＥＳ）、次にステップＳ１３が実行される。一方、現在の制御内容の設定値が、標準設定用データ記憶部４６に記憶されたいずれの標準設定用データにも合致しないと判断された場合には（ステップＳ１２のＮＯ）、次にステップＳ１４が実行される。
【００５４】
ここで、ステップＳ１１、Ｓ１２における比較処理の具体例を説明する。
【００５５】
例えば、実際に設定内容記憶部４４に記憶されている内容（現在の制御内容の設定値）が、図１０（Ａ）に示される内容（「温調：６℃」、「除霜：無」、「水切：無」、「高温：１０℃」、「低温：３℃」）であった場合、設定値比較部５０は、この内容を図５に示される各標準設定用データと順に比較する。この場合、当該内容は、図５中の１行目に示す「青果」の標準設定用データと合致すると判断されるため（ステップＳ１２のＹＥＳ）、図１０（Ｂ）に示すように、設定値比較部５０は操作部Ｉ／Ｆ装置４２を介して標準設定用データ記憶部４６に記憶された操作部表示内容である「青果」を操作部３０の表示部４０に表示する（ステップＳ１３）。従って、利用者は、現在の制御内容の設定値が、「青果」を用途とした場合の標準設定用データに設定されていることを容易に把握することができる。
【００５６】
略同様に、例えば、設定内容記憶部４４に記憶されている内容が、図１１（Ａ）に示される内容であった場合には、図５中の４行目に示す「日配」の標準設定用データと合致すると判断されるため（ステップＳ１２のＹＥＳ）、図１１（Ｂ）に示すように、表示部４０には「日配」が表示される（ステップＳ１３）。さらに、設定内容記憶部４４に記憶されている内容が、図１２（Ａ）に示される内容であった場合には、図５中の２行目に示す「青果夏」の標準設定用データと合致すると判断されるため（ステップＳ１２のＹＥＳ）、図１２（Ｂ）に示すように、表示部４０には「青果夏」が表示される（ステップＳ１３）。
【００５７】
このように、利用者は、操作部３０を１回操作するだけで、制御対象機器であるショーケース１２の現在の制御内容の設定値がどのような設定になっているかを容易に確認できる。このため、その確認結果を、実際に商品陳列棚１８に陳列されている商品と比較すれば、現在の制御内容がその商品に適した設定値となっているかどうかを知ることができる。
【００５８】
一方、実際に設定内容記憶部４４に記憶されている内容が、例えば、図１３に示される内容（「温調：５℃」、「除霜：無」、「水切：無」、「高温：１０℃」、「低温：４℃」）であった場合、当該内容は、図５に示される各標準設定用データのいずれにも合致しないと判断される（ステップＳ１２のＮＯ）。そこで、図１４に示すように、設定値比較部５０は操作部Ｉ／Ｆ装置４２を介して表示部４０に、その内容を順に、「温調：５℃」、「除霜：無」、「水切：無」、「高温：１０℃」、「低温：４℃」と表示する（ステップＳ１４）。従って、利用者は、現在の制御内容の設定値が、標準設定用データ記憶部４６に記憶されたいずれの標準設定用データとも合致しないこと、及び、その制御内容の設定値を容易に把握することができる。
【００５９】
以上のように、本実施形態に係る制御装置１０によれば、操作部３０での設定内容を記憶する設定内容記憶部４４を有し、操作部３０を制御する操作部制御部３２と、設定内容記憶部４４に記憶された設定内容に基づき、制御対象機器であるショーケース１２を運転制御する機器制御部３４と、複数の制御内容の組み合わせを１単位とし、該１単位の標準的な設定値が標準設定用データとして予め記憶される標準設定用データ記憶部４６と、操作部３０での設定内容に応じて、標準設定用データ記憶部４６に記憶された標準設定用データを設定内容記憶部４４に設定する設定値設定部４８と、設定内容記憶部４４に記憶された設定内容と標準設定用データ記憶部４６に記憶された標準設定用データとを比較し、その比較結果を操作部制御部３２を介して表示部４０に表示する設定値比較部５０とを備える。
【００６０】
すなわち、制御装置１０では、操作部３０での設定内容に応じて、標準設定用データ記憶部４６に記憶された標準設定用データを設定内容記憶部４４に設定する設定値設定部４８を備えることにより、制御対象機器の複数の制御内容（例えば、ショーケース１２の庫内温度の設定値や除霜運転の有無）の設定値を、操作部３０の簡易な操作で一度に設定でき、制御内容の設定値の設定作業を容易に行うことができる。しかも、制御装置１０では、設定内容記憶部４４に記憶された設定内容と標準設定用データ記憶部４６に記憶された標準設定用データとを比較し、その比較結果を操作部制御部３２を介して表示部４０に表示する設定値比較部５０を備えることにより、現在の制御内容の設定値がいずれの標準設定用データに合致するか否かを簡易な操作によって表示部４０に表示させることができ、制御内容の設定値の確認作業も容易に行うことができる。その結果、操作部３０の操作に不慣れな利用者であっても、制御内容の設定値の設定を短時間で且つ誤設定なく行うことができ、さらに、制御内容の設定値の確認作業も短時間で且つ誤確認なく行うことができる。
【００６１】
制御対象機器がショーケース１２の場合には、その制御内容として、例えば、ショーケース１２の庫内温度の設定値、ショーケース１２に設けられる冷却器１４ａの除霜運転の有無、冷却器１４ａでの水切運転の有無、高温警報を発する庫内の最低温度、及び、低温警報を発する庫内の最高温度のうち、いずれか１以上又は全てを含むものを例示することができ（図４参照）、他の制御対象機器、例えば空調機器の場合にも、一般的な空調機器の運転条件として用いられる室内温度や冷却器の温度等を制御内容として設定すればよい。
【００６２】
なお、本発明は、上記した実施形態に限定されるものではなく、本発明の主旨を逸脱しない範囲で自由に変更できることは勿論である。
【００６３】
例えば、上記実施形態では、制御装置の適用例としてショーケースを例示したが、当該制御装置の制御対象機器は、ショーケース以外の業務用温度制御機器等であっても勿論よく、空調機器や自動販売機、冷蔵庫等の各種機器を挙げることができる。
【符号の説明】
【００６４】
１０  制御装置
１２  ショーケース
１４  冷却装置
３０  操作部
３２  操作部制御部
３４  機器制御部
３６  設定値管理部
３８  入力部
４０  表示部
４２  操作部Ｉ／Ｆ装置
４４  設定内容記憶部
４６  標準設定用データ記憶部
４８  設定値設定部
５０  設定値比較部
【図１】
2013057489.tif 000003
【図２】
2013057489.tif 000004
【図３】
2013057489.tif 000005
【図４】
2013057489.tif 000006
【図５】
2013057489.tif 000007
【図６】
2013057489.tif 000008
【図７】
2013057489.tif 000009
【図８】
2013057489.tif 000010
【図９】
2013057489.tif 000011
【図１０】
2013057489.tif 000012
【図１１】
2013057489.tif 000013
【図１２】
2013057489.tif 000014
【図１３】
2013057489.tif 000015
【図１４】
2013057489.tif 000016